(57)【要約】【課題】本発明は、ユーザの操作性を向上させることが可能なセルフプリント端末を提供することを目的とする。【解決手段】本発明によるセルフプリント端末は、操作のためのユーザインタフェースを有するセルフプリント端末１であって、操作を行うユーザ２の生体に関する情報である生体情報を取得する生体情報取得部７と、生体情報取得部７にて取得された生体情報に基づいて切り替え可能な所定の音声ガイダンスによりユーザインタフェースを実行する出力部６とを備える。【選択図】図２
2013220618.tif 000002
【特許請求の範囲】
【請求項１】
操作のためのユーザインタフェースを有するセルフプリント端末であって、
前記操作を行うユーザの生体に関する情報である生体情報を取得する生体情報取得部と、
前記生体情報取得部にて取得された前記生体情報に基づいて切り替え可能な所定の音声ガイダンスにより前記ユーザインタフェースを実行する出力部と、
を備える、セルフプリント端末。
【請求項２】
前記出力部は、さらに前記生体情報取得部にて取得された前記生体情報に基づいて切り替え可能な所定の表示により前記ユーザインタフェースを実行することを特徴とする、請求項１に記載のセルフプリント端末。
【請求項３】
前記生体情報は前記ユーザの身体情報を含み、
前記セルフプリント端末は前記身体情報に基づいて切り替え可能な外形を有することを特徴とする、請求項１または２に記載のセルフプリント端末。
【請求項４】
前記ユーザの操作情報を記憶する操作情報記憶部をさらに備え、
前記ユーザインタフェースは、前記操作情報記憶部に記憶された前記操作情報に基づいて前記ユーザが前記操作を繰り返して行っていると判断された場合に、前記表示あるいは前記音声ガイダンスの詳しさを切り替え可能に構成されていることを特徴とする、請求項２または３に記載のセルフプリント端末。
【請求項５】
前記生体情報は、前記ユーザの個人情報を含むことを特徴とする、請求項１ないし４のいずれかに記載のセルフプリント端末。
【発明の詳細な説明】
【技術分野】
【０００１】
本発明は、セルフプリント端末に関し、特に、ユーザの生体情報や操作情報によってユーザインタフェースの制御が可能なセルフプリント端末に関する。
【背景技術】
【０００２】
近年、デジタルカメラや高画質なカメラ機能を有する携帯電話の普及に伴って、カメラで撮影されたデジタル画像をプリント（印刷）する需要が増えている。デジタル画像データが記憶されているメモリカードなどの記憶媒体は簡単に持ち運び可能であることもあり、このような記憶媒体を用いて手軽にユーザ自身でプリントすることができるセルフプリント端末が多く普及している。
【０００３】
セルフプリント端末は、ユーザによる簡単な操作で、その場ですぐにプリントすることができるようになっており、従来、ユーザの操作に応じてユーザインタフェースを切り替える方法が数多く提案されている。
【０００４】
例えば、ユーザの身体的特徴や動作などの詳細なユーザ情報に基づいて、最適な画面構成を提供することができるユーザインタフェースの制御方法がある（例えば、特許文献１参照）。特許文献１では、ユーザの操作スピードを把握することによって習熟度を見分け、当該習熟度に応じて画面のユーザインタフェースを初心者あるいは経験者向けに切り替えを行う制御を行っている。
【０００５】
また、操作回数を記憶することによってユーザの操作情報を取得し、当該操作情報に基づいてユーザが操作しやすいように表示形態を変更する制御を行うようなユーザインタフェースの制御方法がある（例えば、特許文献２参照）。
【先行技術文献】
【特許文献】
【０００６】
【特許文献１】特開２０１０−１０８０７０号公報
【特許文献２】特開２００４−２４０５８２号公報
【発明の概要】
【発明が解決しようとする課題】
【０００７】
特許文献１では、ユーザ情報に基づいて画面のユーザインタフェースを切り替える制御を行っているが、画面のユーザインタフェースのみを制御しても、結局は文字を読む手間が生じたり、操作画面においてユーザが所望の操作を行う箇所を探すための時間がかかってしまうことがある。また、特に、聴覚など他の感覚機能を操作情報の頼りとしているユーザにとっては操作が困難であるという問題がある。
【０００８】
また、特許文献２では、ユーザの操作情報を学習する学習機能を用いてユーザが操作しやすい順序でページを表示することによって、各ユーザに合ったページ順序の構成尾を変更することができるようになっている。しかし、表示するページ順序が異なっているだけであり、各ページの表示内容は変わっていない。従って、操作方法が分からないページについては、たとえ表示するページ順序が変わったとしても操作方法が分からないままとなってしまい、ページごとの操作性については解決されていないという問題がある。
【０００９】
上記のように、画面のインタフェースを切り替える方法は提案されているものの、実際に画面に表示されている情報のみでは説明不足であったり、実際に操作を行う画面の箇所が分かりにくいなどといった問題があり、結局ユーザが操作を行う際には、端末から流れてくる音声ガイダンスを頼りに操作を行うことによって操作方法を理解する場合も少なくない。
【００１０】
本発明は、これらの問題を解決するためになされたものであり、ユーザの操作性を向上させることが可能なセルフプリント端末を提供することを目的とする。
【課題を解決するための手段】
【００１１】
上記の課題を解決するために、本発明によるセルフプリント端末は、操作のためのユーザインタフェースを有するセルフプリント端末であって、操作を行うユーザの生体に関する情報である生体情報を取得する生体情報取得部と、生体情報取得部にて取得された生体情報に基づいて切り替え可能な所定の音声ガイダンスによりユーザインタフェースを実行する出力部とを備える。
【発明の効果】
【００１２】
本発明によると、操作を行うユーザの生体に関する情報である生体情報を取得する生体情報取得部と、生体情報取得部にて取得された生体情報に基づいて切り替え可能な所定の音声ガイダンスによりユーザインタフェースを実行する出力部とを備えるため、ユーザの操作性を向上させることが可能となる。
【図面の簡単な説明】
【００１３】
【図１】本発明の実施の形態１によるセルフプリント端末の構成の一例を示す外観図である。
【図２】本発明の実施の形態１によるセルフプリント端末の構成の一例を示すブロック図である。
【図３】本発明の実施の形態２によるユーザインタフェース設定部の動作の一例を示すフローチャートである。
【図４】本発明の実施の形態３によるセルフプリント端末の構成の一例を示す外観図である。
【図５】本発明の実施の形態４による表示部の画面の表示の切り替えの一例を示す図である。
【図６】本発明の実施の形態４によるセルフプリント端末の動作の一例を示すフローチャートである。
【発明を実施するための形態】
【００１４】
本発明の実施の形態について、図面に基づいて以下に説明する。
【００１５】
＜実施の形態１＞
図１は、本発明の実施の形態１によるセルフプリント端末１の構成の一例を示す外観図である。
【００１６】
図１に示すように、セルフプリント端末１は、当該セルフプリント端末１を利用するユーザ２の生体に関する生体情報や操作情報を取得する機能を有している。また、ユーザ２の生体情報は、生体情報取得装置３によって取得される。
【００１７】
生体情報取得装置３にはユーザ２の生体情報を取得するためのカメラ機能が備えられており、カメラの角度や向きを自由に変えることができる。セルフプリント端末１は、生体情報取得装置３によって取得された生体情報に基づいてユーザインタフェースを切り替えることができる。ここで、ユーザインタフェースとは、ユーザがセルフプリント端末１を操作するためのユーザインタフェースのことをいい、本実施の形態１によるセルフプリント端末１は操作のためのユーザインタフェースを有している。
【００１８】
図２は、本実施の形態１によるセルフプリント端末１の構成の一例を示すブロック図であり、主にセルフプリント端末１のユーザインタフェースの実行に関連する構成を示している。
【００１９】
図２に示すように、本実施の形態１によるセルフプリント端末１は、操作入力部４と、制御部５と、出力部６とを備えている。
【００２０】
操作入力部４は、ユーザ２の操作による入力を受け付けている。
【００２１】
制御部５は、ユーザ情報取得部７（生体情報取得部）と、操作情報記憶部８と、ユーザインタフェース設定部９とを備えており、操作入力部４にて操作しているユーザ２の生体情報や操作情報を取得する。
【００２２】
ユーザ情報取得部７は、生体情報取得装置３にて取得されたユーザ２の生体情報を含む、ユーザ２に関する情報であるユーザ情報を取得する。
【００２３】
操作情報記憶部８は、操作入力部４にて操作したユーザの操作手順や操作状況を操作情報として記憶する。
【００２４】
ユーザインタフェース設定部９は、ユーザ情報取得部７にて取得されたユーザ情報や、操作情報記憶部８に記憶された操作情報に基づいてユーザインタフェースを切り替える。また、切り替えられたユーザインタフェースは、出力部６から出力される。
【００２５】
出力部６は、音声ガイダンス部１０と表示部１１とを備えている。音声ガイダンス部１０は、音声ガイダンスの音量や速度を切り替えて出力することによってユーザインタフェースを実行している。また、表示部１１は、表示される画面仕様（表示部１１に表示される表示内容）を切り替えて出力することによってユーザインタフェースを実行している。すなわち、本実施の形態１によるユーザインタフェースは、ユーザインタフェース設定部９および出力部６から構成される。
【００２６】
ユーザ情報取得部７によるユーザ情報の取得方法としては、例えば特開平６−３３３０２３号公報に記載されているように、認識した顔情報から顔を各パーツに分け、当該各パーツと、セルフプリント端末が保有しているデータベース化されたパーツパターンとを照合することによって、ユーザの年齢などを含む生体情報を判別する。そして、判別された生体情報は、ユーザ情報に登録されるような仕組みとなっている。このように、各パーツの情報に基づいて年齢、性別、国籍などを特定することによってユーザ情報を認証する方法がある。
【００２７】
また、上記の方法以外に、ユーザ２が保有している個人情報が記憶された個人情報カードなどを読み取ることによって、正確にユーザ情報を認証する方法もある。また、個人情報カードによってユーザ情報を取得する以外にも、タッチパネルに触れている肌情報、ユーザの動き情報、ユーザが発した声など、生体情報に限らずユーザを特定することができる情報であればどのような情報であってもよい。なお、上記のすべてのユーザ情報は、ユーザ情報取得部７にて取得されるものとする。
【００２８】
次に、本実施の形態１によるセルフプリント端末１の動作の一例について説明する。以下、ユーザ情報に基づいて音声ガイダンスを切り替えることによってユーザインタフェースを実行する場合について説明する。
【００２９】
ユーザインタフェース設定部９は、ユーザ情報取得部７にて取得されたユーザ情報に基づいて、音声ガイダンスを切り替えるための設定を行う。音声ガイダンス部１０は、ユーザインタフェース設定部９による設定に基づいて音声ガイダンスを切り替えて出力する（すなわち、ユーザインタフェースを実行する）。
【００３０】
音声ガイダンスの切り替え方法としては、例えば、顔認識によって特定されたユーザ情報に基づいて、ユーザ２が７０歳以上の人であると判断されると音声ガイダンスの音量を大きくし、あるいはガイダンス速度（音声ガイダンスの速度）をゆっくりする。このようにすることによって、ユーザ２が年配の方であっても分かりやすい音声ガイドを提供することができ、ユーザ２の操作性を向上させることが可能となる。
【００３１】
なお、プリント中の待ち時間に流れるＢＧＭをユーザ２の年代に合わせて（例えば演歌など）、自動的に切り替えて出力するようにしてもよい。
【００３２】
また、例えば、顔認識や個人情報カードなどに基づいて、標準言語が英語のユーザ２であると判断されると、音声ガイダンスの言語を英語に切り替えるようにしてもよい。
【００３３】
また、例えば、個人情報カードやユーザ２の会話のイントネーションなどに基づいて、ユーザ２の出身地域を認証することができれば、ユーザ２の出身地域の方言やイントネーションで発声するように音声ガイダンスを切り替えてもよい。
【００３４】
また、時代別または年代別に合わせたグラフィックを表示したり、ユーザの好みに合った匂いなどを切り替えるようにしてもよい。
【００３５】
以上のことから、本実施の形態１によれば、ユーザ情報に基づいて音声ガイダンスを切り替えて出力しているため、ユーザの操作性を向上させることが可能となる。
【００３６】
＜実施の形態２＞
本発明の実施の形態２では、ユーザ情報に基づいて音声ガイダンスだけでなく画面の表示を切り替えて出力する（ユーザインタフェースを実行する）ことを特徴としている。構成は実施の形態１の図２と同様であるため、ここでは説明を省略する。
【００３７】
ユーザインタフェース設定部９は、ユーザ情報取得部７にて取得されたユーザ情報に基づいて、音声ガイダンスおよび表示を切り替えるための設定を行う。音声ガイダンス部１０は、ユーザインタフェース設定部９による設定に基づいて音声ガイダンスを切り替えて出力する（すなわち、ユーザインタフェースを実行する）。また、表示部１１は、ユーザインタフェース設定部９による設定に基づいて表示を切り替えて出力する（すなわち、ユーザインタフェースを実行する）。
【００３８】
例えば、操作入力部４にて操作しているユーザ２の標準言語が英語であると認識されると、音声ガイダンスが英語に切り替えられる。また、画面への表示も英語で表示するように切り替えられる。
【００３９】
なお、プリント中の待ち時間に流れるＢＧＭを、例えばユーザ２の標準言語が英語である場合は英語圏の地域で流行している曲を流すなど、ユーザ２が気分良くプリント中の待ち時間を過ごせるようにしてもよい。
【００４０】
また、操作入力部４がタッチパネルであって、タッチパネルに接触しているユーザ２の指の面積が広い場合は、画面に表示されるボタンのサイズを大きくするなどの表示の切り替えを行うようにしてもよい。
【００４１】
次に、本実施の形態２によるセルフプリント端末１の動作の一例について説明する。以下、ユーザ情報に含まれる生体情報に基づいて音声ガイダンスおよび表示を切り替えて出力する（ユーザインタフェースを実行する）場合について説明する。
【００４２】
図３は、本実施の形態２によるユーザインタフェース設定部９の動作の一例を示すフローチャートである。図３では、生体情報の一例として年齢情報を用いる場合について説明する。
【００４３】
まず、ステップＳ１０１において、生体情報取得装置３を介してユーザ情報取得部７にて取得されたユーザ２の年齢情報に基づいて、ユーザ２が１５歳未満であるか否かの判断を行う。１５歳未満であると判断されるとステップＳ１０２に移行し、１５歳未満でない（すなわち、１５歳以上である）と判断されるとステップＳ１０７に移行する。
【００４４】
次に、ステップＳ１０２において、音声ガイダンス部１０から出力される音声ガイダンスのガイダンス速度を「ゆっくり」に設定する。
【００４５】
次に、ステップＳ１０３において、表示部１１の画面に表示される文字として「ひらがな」が多く用いられるように設定する。
【００４６】
次に、ステップＳ１０４において、音声ガイダンス部１０から出力される音声ガイダンスの音量を「普通」に設定する。
【００４７】
次に、ステップＳ１０５において、表示部１１の画面に表示されるボタン（例えば、操作ボタン）のサイズを「中」に設定する。
【００４８】
次に、ステップＳ１０６において、表示部１１の画面に表示されるイラストの数を「多」に設定し、処理を終了する。
【００４９】
上記より、ユーザ２が１５歳未満である場合において、音声ガイダンス部１０および表示部１１は、ユーザインタフェース設定部９にて行われた上記のステップＳ１０１〜ステップＳ１０６における設定に基づいて音声ガイダンスおよび表示を切り替えて出力する。
【００５０】
次に、ステップＳ１０７において、ユーザ２が１５歳以上６０歳未満であるか否かの判断を行う。１５歳以上６０歳未満であると判断されるとステップＳ１０８に移行し、１５歳以上６０歳未満でない（すなわち、６０歳以上である）と判断されるとステップＳ１１３に移行する。
【００５１】
次に、ステップＳ１０８において、音声ガイダンス部１０から出力される音声ガイダンスのガイダンス速度を「普通」に設定する。
【００５２】
次に、ステップＳ１０９において、表示部１１の画面に表示される文字として「漢字」が多く用いられるように設定する。
【００５３】
次に、ステップＳ１１０において、音声ガイダンス部１０から出力される音声ガイダンスの音量を「普通」に設定する。
【００５４】
次に、ステップＳ１１１において、表示部１１の画面に表示されるボタン（例えば、操作ボタン）のサイズを「中」に設定する。
【００５５】
次に、ステップＳ１１２において、表示部１１の画面に表示されるイラストの数を「少」に設定し、処理を終了する。
【００５６】
上記より、ユーザ２が１５歳以上６０歳未満である場合において、音声ガイダンス部１０および表示部１１は、ユーザインタフェース設定部９にて行われた上記のステップＳ１０８〜ステップＳ１１２における設定に基づいて音声ガイダンスおよび表示を切り替えて出力する。
【００５７】
次に、ステップＳ１１３において、ユーザ２が６０歳以上であるか否かの判断を行う。６０歳以上であると判断されるとステップＳ１１４に移行し、６０歳以上でないと判断される（すなわち、年齢が特定できないと判定される）とステップＳ１１９に移行する。
【００５８】
次に、ステップＳ１１４において、音声ガイダンス部１０から出力される音声ガイダンスのガイダンス速度を「ゆっくり」に設定する。
【００５９】
次に、ステップＳ１１５において、表示部１１の画面に表示される文字として「漢字」が多く用いられるように設定する。
【００６０】
次に、ステップＳ１１６において、音声ガイダンス部１０から出力される音声ガイダンスの音量を「大」に設定する。
【００６１】
次に、ステップＳ１１７において、表示部１１の画面に表示されるボタン（例えば、操作ボタン）のサイズを「大」に設定する。
【００６２】
次に、ステップＳ１１８において、表示部１１の画面に表示されるイラストの数を「中」に設定し、処理を終了する。
【００６３】
上記より、ユーザ２が６０歳以上である場合において、音声ガイダンス部１０および表示部１１は、ユーザインタフェース設定部９にて行われた上記のステップＳ１１４〜ステップＳ１１８における設定に基づいて音声ガイダンスおよび表示を切り替えて出力する。
【００６４】
また、ステップＳ１１９において、年齢が特定できなかった場合は、初期値を設定して動作するようになっている。
【００６５】
なお、上記の図３に示す動作において、各設定の内容や年齢の閾値は一例を示しておりこれに限られるものではない。
【００６６】
以上のことから、本実施の形態２によれば、ユーザ情報に基づいて音声ガイダンスおよび表示を切り替えて出力しているため、ユーザに合わせた音声ガイドおよび表示を提供することができ、ユーザの操作性を向上させることが可能となる。
【００６７】
＜実施の形態３＞
本発明の実施の形態３では、ユーザ情報に含まれる生体情報の一例としてユーザ２の身体情報（身長、体重など）に基づいてセルフプリント端末１の外形を切り替え可能としていることを特徴としている。その他の構成および動作は実施の形態１または２と同様であるため、ここでは説明を省略する。
【００６８】
図４は、本発明の実施の形態３によるセルフプリント端末の構成の一例を示す外観図である。
【００６９】
図４に示すように、セルフプリント端末１は、生体情報取得装置３を介してユーザ情報取得部７にて取得されたユーザ２の身体情報に基づいて、セルフプリント端末１自身の高さ、画面の向き、あるいは画面の角度など（すなわち、セルフプリント端末１の外形）を変更可能としている。生体情報取得装置３は、ユーザ２（図示せず）の身長、顔の大きさ、目の位置、あるいは視力などの情報を取得する。
【００７０】
まず、ユーザインタフェース設定部９は、ユーザ２の身体情報に基づいて、ユーザ２が操作しやすいようにセルフプリント端末１２の高さを変更するよう設定する。例えば、図４に示すように、通常状態のセルフプリント端末１２の状態からセルフプリント端末１３の状態となるように高さを変更する。
【００７１】
次に、ユーザインタフェース設定部９は、ユーザ２の顔の向きや目線を特定することによって画面の角度を変更するよう設定する。例えば、図４に示すようにセルフプリント端末１３の状態からセルフプリント端末１４の状態となるように画面角度を変更する。
【００７２】
以上のことから、本実施の形態３によれば、ユーザの身体情報に基づいてセルフプリント端末の外形を切り替えているため、ユーザに合わせたセルフプリント端末を提供することができ、ユーザの操作性を向上させることが可能となる。
【００７３】
＜実施の形態４＞
本発明の実施の形態４では、ユーザインタフェースが、操作情報記憶部８にて記憶されている操作情報に基づいてユーザ２が操作を繰り返し行っていると判断された場合に、表示あるいは音声ガイダンスの詳しさを切り替え可能に構成されていることを特徴としている。その他の構成および動作は、少なくとも実施の形態１ないし３のいずれかと同様であるため、ここでは説明を省略する。
【００７４】
図５は、本発明の実施の形態４による表示部１１の画面の表示の切り替えの一例を示す図である。
【００７５】
図５に示すように、セルフプリント端末１は、例えば、１画面に２つ以上の操作（プリントしたい画像と枚数を選択する操作）を必要とする画面１５が初期状態として表示されている。
【００７６】
しかし、画面１５の状態では操作することが難しいと思う人がいることがある。そのような人のために、本実施の形態４では、画面１６，１７に示すように、１画面につき１つの操作を行う「詳細」モードに切り替えることができる。すなわち、表示の詳しさを切り替えることができる。
【００７７】
図６は、本実施の形態４によるセルフプリント端末１の動作の一例を示すフローチャートである。
【００７８】
まず、ステップＳ２０１において、ユーザ２が操作する際に押下される各ボタンの押下回数をカウントする。
【００７９】
次に、ステップＳ２０２において、１画面あたりの表示時間をカウントする。
【００８０】
次に、ステップＳ２０３において、画面に表示されている「戻る」ボタンがａ回以上押下されたか否かの判断を行う。「戻る」ボタンがａ回以上押下されたと判断された場合はステップＳ２０５に移行し、「戻る」ボタンがａ回以上押下されていないと判断された場合はステップＳ２０４に移行する。
【００８１】
次に、ステップＳ２０４において、１つの画面でｂ秒以上の操作がないか否かの判断を行う。ｂ秒以上の操作がない（すなわち、ｂ秒間以上何も操作されていない）と判断された場合はステップＳ２０５に移行し、ｂ秒以上の操作がある（すなわち、ｂ秒間以内で何か操作された）と判断された場合は処理を終了する。
【００８２】
次に、ステップＳ２０５において、図５の画面１６，１７に示すような「詳細」モードに切り替える。また、同時に音声ガイダンスを「詳細」モードに切り替えてもよい。すなわち、音声ガイダンスの詳しさを切り替えてもよい。「詳細」モードの切り替え後に処理を終了する。
【００８３】
このように、本実施の形態４によるセルフプリント端末１は、ユーザの操作情報を操作情報記憶部８に記憶させることによってユーザの操作手順を覚えておくことができる学習機能を有し、例えば、ユーザが１画面あたりに行う操作時間を計測し、あるいは画面操作の誤った回数を記録しておくことによってユーザの習熟度合いを決定する。そして、ユーザの習熟度合いによって画面の表示順序だけでなく、音声ガイダンスも詳細に説明するように変更したり、説明する文章を簡単な言葉を用いて判りやすく表現するなどしたりして、音声ガイダンスを自動的に切り替えることができる。
【００８４】
以上のことから、本実施の形態４によれば、ユーザの操作情報に基づいて表示あるいは音声ガイダンスの詳しさを切り替えているため、ユーザに合わせたセルフプリント端末を提供することができ、ユーザの操作性を向上させることが可能となる。
【００８５】
なお、本発明は、その発明の範囲内において、各実施の形態を自由に組み合わせたり、各実施の形態を適宜、変形、省略することが可能である。
【符号の説明】
【００８６】
１  セルフプリント端末、２  ユーザ、３  生体情報取得装置、４  操作入力部、５  制御部、６  出力部、７  生体情報取得部、８  操作情報記憶部、９  ユーザインタフェース設定部、１０  音声ガイダンス部、１１  表示部、１２〜１４  セルフプリント端末、１５〜１７  画面。
【図１】
2013220618.tif 000003
【図２】
2013220618.tif 000004
【図３】
2013220618.tif 000005
【図４】
2013220618.tif 000006
【図５】
2013220618.tif 000007
【図６】
2013220618.tif 000008